(57)【特許請求の範囲】
【請求項１】
複数のＡＬＤ（Antenna Line Device）、及び複数の基地局に接続した複数のポートを含むマルチＡＬＤシステムで複数のアンテナを制御するための方法において、
前記複数のＡＬＤのうちのいずれかが前記複数の基地局のうちのいずれかから構成命令（Configuration Command）を受信する過程と、
前記構成命令を受信したＡＬＤが、他のＡＬＤのそれぞれに前記構成命令を伝達する過程、及び、
前記複数のＡＬＤのそれぞれが前記構成命令に応じて制御するアンテナまたは接続するポートを設定する過程と、
を含むことを特徴とするアンテナ制御方法。
【請求項２】
前記構成命令は、
前記複数のＡＬＤと前記複数のポートとの間の接続関係、または前記複数のＡＬＤと前記複数のアンテナとの間の接続関係を指示する設定情報であることを特徴とする請求項１に記載のアンテナ制御方法。
【請求項３】
前記マルチＡＬＤシステムにて前記複数のＡＬＤのそれぞれが制御するアンテナが予め設定され、
前記複数のＡＬＤのそれぞれは、前記構成命令に応じて接続するポートを設定することを特徴とする請求項１に記載のアンテナ制御方法。
【請求項４】
前記構成命令は、前記複数のＡＬＤと前記複数のポートとの間の接続関係を指示する設定情報として、１つのＡＬＤは、２つ以上のポートからアンテナ状態の変更命令を受信して実行することを許可しないように設定することを特徴とする請求項３に記載のアンテナ制御方法。
【請求項５】
前記マルチＡＬＤシステムにて前記複数のＡＬＤのそれぞれが接続するポートが予め設定され、
前記複数のＡＬＤのそれぞれは、前記構成命令に応じて制御するアンテナを設定することを特徴とする請求項１に記載のアンテナ制御方法。
【請求項６】
前記構成命令は、前記複数のＡＬＤと前記複数のアンテナとの間の接続関係を指示する設定情報として、１つのアンテナは、２つ以上のＡＬＤと接続しないように設定することを特徴とする請求項５に記載のアンテナ制御方法。
【請求項７】
前記設定過程の後に、
前記複数のＡＬＤの全てが前記構成命令に応じた設定を完了すると、前記マスターＡＬＤが前記構成命令を送信した基地局及び前記スレーブＡＬＤの全てに設定完了信号を送信する過程
を含むことを特徴とする請求項１に記載のアンテナ制御方法。
【請求項８】
前記伝達する過程は、
前記構成命令を受信したＡＬＤ（以下、「マスターＡＬＤ」と称する）が、他のＡＬＤ（以下、「スレーブＡＬＤ」と称する）に前記構成命令を受信したことを知らせる通知信号を送信する過程と、
前記マスターＡＬＤが前記スレーブＡＬＤのそれぞれから前記通知信号を受信したことを確認する信号を受信する過程、及び、
前記マスターＡＬＤが前記スレーブＡＬＤのそれぞれに前記構成命令を送信する過程と、
を含むことを特徴とする請求項１に記載のアンテナ制御方法。
【請求項９】
前記スレーブＡＬＤのそれぞれは、前記通知信号を受信した時点から前記設定完了信号を受信する時点までに、前記複数の基地局のうちのいずれかから受信される構成命令を無視することを特徴とする請求項８に記載のアンテナ制御方法。
【請求項１０】
複数のアンテナを制御するためのマルチＡＬＤ（Antenna Line Device）システムにおいて、
複数の基地局とそれぞれ接続する複数のポート、及び、
前記複数のアンテナを制御するための複数のＡＬＤを含み、
前記複数のＡＬＤのそれぞれは、互いに通信可能に接続し、複数の基地局のうちのいずれかの基地局から受信した構成命令に応じて制御するアンテナまたは接続するポートを設定することを特徴とするマルチＡＬＤシステム。
【請求項１１】
前記複数のＡＬＤのうちのいずれかのＡＬＤが前記構成命令を受信すると、前記構成命令を受信したＡＬＤが前記構成命令を他のＡＬＤに転送することにより、前記複数のＡＬＤが前記構成命令を共有することを特徴とする請求項１０に記載のマルチＡＬＤシステム。
【請求項１２】
前記複数のＡＬＤのそれぞれは、特定の構成命令に応じた構成作業が進行中である場合は、前記複数の基地局のそれぞれから受信される他の構成命令を無視することを特徴とする請求項１０に記載のマルチＡＬＤシステム。
【請求項１３】
前記構成命令は、
前記複数のＡＬＤと前記複数のポートとの間の接続関係、または前記複数のＡＬＤと前記複数のアンテナとの間の接続関係を指示する設定情報であることを特徴とする請求項１０に記載のマルチＡＬＤシステム。
【請求項１４】
前記構成命令は、
一つのＡＬＤが、２つ以上のポートからアンテナ状態の変更命令を受信して実行しないように設定された命令であることを特徴とする請求項１３に記載のマルチＡＬＤシステム。
【請求項１５】
前記構成命令は、
一つのアンテナは、２つ以上のＡＬＤと接続しないように設定された命令であることを特徴とする請求項１３に記載のマルチＡＬＤシステム。
【請求項１６】
前記複数のＡＬＤのそれぞれが制御するアンテナが予め設定され、
前記複数のＡＬＤのそれぞれは、前記構成命令に応じて接続するポートを設定することを特徴とする請求項１０に記載のマルチＡＬＤシステム。
【請求項１７】
前記複数のＡＬＤのそれぞれが接続するポートが予め設定され、
前記複数のＡＬＤのそれぞれは、前記構成命令に応じて制御するアンテナを設定することを特徴とする請求項１０に記載のマルチＡＬＤシステム。
【発明の詳細な説明】
【技術分野】
【０００１】
本発明は、基地局システムでのアンテナ制御システム及びその構成方法に関し、特にＡＩＳＧ（Antenna Interface Standards Group）プロトコルに応じてアンテナの動作がリモートコントロールされるアンテナ制御システムの構成方法に関する。
【背景技術】
【０００２】
この部分に記述した内容は、単に本実施例の背景情報を提供することに留まり、従来の技術を構成するものではない。
【０００３】
現在広く使われている移動通信基地局のアンテナシステムは、垂直の２つの偏波を送信または受信することができる放射素子が垂直に配列された構造を有する。送受信アンテナ同士で偏波方向を合わせたり、送受信性能を向上させるために、アンテナの傾き（Tilt）、方位角（Azimuth）などを調整する必要がある。
【０００４】
過去には、アンテナの傾き、方位角などを調節する方法として、技術者がタワーに登って手作業でアンテナ全体を調節する機械的な方法が主だった。機械的な方法は、危険であると同時に、緊迫した状況での即時対応が難しいという欠点がある。
【０００５】
最近では、アンテナ内部に位相遷移器（Phase Shifter）を挿入した後、電気的にアンテナの傾き、方位角などを調節する電気的方法が用いられる。電気的にアンテナを制御する方法は、韓国特許公開公報第１０-２０１０-０１２２０９２号などに開示される。
【０００６】
アンテナを制御する装置の種類は次のとおりである。アンテナの傾きを制御するＲＥＴ（Remote Electrical Tilt Unit）、アンプを制御するＴＭＡ（Tower-mounted Amplifier）、アンテナの方位角を調節するＲＡＳ（Remote Azimuth Steering）、アンテナのビームの幅を調節するＲＡＢ（Remote Azimuth Beamwidth）などがある。その他にもＡＳＤ（Alignment Sensor Device）、ＡＣＳ（Antenna Clock Source）、ＧＬＳ（Geographic Location Sensor）、ＣＰＭ（Configurable Power Monitor）、ＡＴＳ（Antenna Temperature Sensor）、ＲＡＥ（Remote Antenna Extension）など、さまざまなアンテナ制御装置が存在する。技術の発展に伴い、新しいアンテナ制御装置が追加されている。本明細書では、上述したアンテナ制御装置をアンテナラインデバイス（Antenna Line Device：以下、「ＡＬＤ」称する）とする。
【０００７】
現在の移動通信環境は２Ｇ、３Ｇ、４Ｇ（Long Term Evolution）が商用化され、５Ｇシステムの導入を準備している中で、通信システム、通信事業者、または国によって様々な移動通信サービスの周波数帯域が混在する。基地局の統合管理を容易にし、基地局の運用コストを削減するために、複数の基地局を一つに統合する場合が多くなっている。
【０００８】
基地局システムは、異なる通信規格を有する複数の基地局と各基地局で使用する帯域のアンテナで構成される。基地局システムは、相互間でのサービスカバレッジが重なり得るし、カバレッジが重なる領域での信号の干渉を最小限に抑えるためのアンテナを調整する必要がある。基地局システムにおいて信号の干渉を最小限に抑え、ネットワーク容量を最大化するために、アンテナ制御技術を適用しようとする試みが展開されている。
【０００９】
基地局システムに関する従来の技術は、韓国特許公開公報第１０-２０１３-００７０１４４号、韓国特許公開公報第１０-２０１３-００８７３６２号などに開示される。
【００１０】
図１は、従来の基地局システムを例示した図である。
【００１１】
基地局システムは、複数の基地局（Base Tranceiver Station：ＢＴＳ）と、各基地局で用いるアンテナで構成される。各基地局１１１、１１２、１１３は、各基地局で使用するアンテナ１４１、１４２、１４３と一対一で接続される。
【００１２】
各基地局１１１、１１２、１１３は、ポート１２１、１２２、１２３を介して、各ＡＬＤ１３１、１３２、１３３に接続される。各ＡＬＤ１３１、１３２、１３３は、各アンテナ１４１、１４２、１４３を制御する。
【００１３】
韓国特許公開公報第１０-２０１３-００７０１４４号、韓国特許公開公報第１０-２０１３-００８７３６２号などに開示した従来のアンテナ制御方法は、各基地局が直接、各基地局に接続されたアンテナを一対一で制御する方式である。しかし、通信システムが複雑になるにつれ、各基地局が制御するアンテナを柔軟に設定する必要が生じた。
【発明の概要】
【発明が解決しようとする課題】
【００１４】
本実施例は、基地局システムにおいて複数のポートと複数のＡＬＤとの間の接続関係、または複数のＡＬＤと各ＡＬＤが制御するアンテナとの間の接続関係を自在に変更できるようにすることで、ＡＩＳＧ（Antenna Interface Standards Group）標準に基づくアンテナ制御の柔軟性を向上させ、通信環境の変化に応じたアンテナ制御システムの最適化された構成が可能になるシステム及び方法を提供することにその目的がある。
【課題を解決するための手段】
【００１５】
本実施例の一側面によると、複数のＡＬＤ（Antenna Line Device）と、複数の基地局に接続された複数のポートを含むマルチＡＬＤシステムにおける複数のアンテナを制御するための方法において、前記複数のＡＬＤのうちのいずれかが前記複数の基地局のうちのいずれかから構成命令（Configuration Command）を受信する過程と、前記構成命令を受信したＡＬＤが他のＡＬＤのそれぞれに前記構成命令を伝達する過程、及び、前記複数のＡＬＤのそれぞれが前記構成命令に応じて制御するアンテナまたは接続ポートを設定する過程と、を含むことを特徴とするアンテナ制御方法を提供する。
【００１６】
本実施例の他側面によると、複数のアンテナを制御するためのマルチＡＬＤ（Antenna Line Device）システムにおいて、複数の基地局とそれぞれ接続される複数のポート、及び複数のアンテナを制御するための複数のＡＬＤを含み、前記複数のＡＬＤのそれぞれは、互いに通信可能に接続され、複数の基地局のうちいずれかの基地局から受信した構成命令に応じて制御するアンテナまたは接続ポートを設定することを特徴とするマルチＡＬＤシステムを提供する。
【発明の効果】
【００１７】
本実施例によると、基地局システムにおいて「複数のポート」と「複数のＡＬＤ」との間の接続関係、または「複数のＡＬＤ」と「各ＡＬＤが制御するアンテナ」との間の接続関係を自在に変更することができることで、アンテナ制御の柔軟性が向上し、アンテナ制御システムの最適化が可能となる。
【図面の簡単な説明】
【００１８】
【図１】従来の基地局システムを例示した図である。
【図２】本実施形態に係るマルチＡＬＤシステムの概念図である。
【図３】本実施形態に係るマルチＡＬＤシステムの第１の実施例である。第１の実施例は、各ＡＬＤと接続されたポートが予め設定された状態で構成命令に基づいて各ＡＬＤが制御するアンテナを流動的に設定する。
【図４】第１の実施例で用いる構成命令を例示した図である。
【図５】図４の構成命令に応じて、接続関係が再構成されたマルチＡＬＤシステムを例示した図である。
【図６】本実施形態に係るマルチＡＬＤシステムの第２の実施例である。第２の実施例は、各ＡＬＤが制御するアンテナが予め設定された状態で構成命令に応じて各ＡＬＤと接続するポートを流動的に設定する。
【図７】第２の実施例で用いる構成命令を例示した図である。
【図８】図７の構成命令に応じて接続関係が再構成されたマルチＡＬＤシステムを例示した図である。
【図９】本実施形態に係るアンテナ制御システムの構成方法をマスターＡＬＤの観点から例示したフローチャートである。
【図１０】本実施形態に係るアンテナ制御システムの構成方法を基地局、ポート、マスターＡＬＤ、及びスレーブＡＬＤの観点から例示したフローチャートである。
【発明を実施するための形態】
【００１９】
以下、本発明の一部の実施形態を例示的な図面を通じて詳しく説明する。各図面の構成要素に参照符号を付加する場合において同一の構成要素に対しては、たとえ他の図面上に表示されても、可能な限り同一の符号を有するようにしていることに留意しなければならない。また、本実施例を説明するにあたって、関連する公知の構成または機能に対する具体的な説明が本実施形態の要旨を曖昧にするものと判断される場合には、その詳細な説明を省略する。
【００２０】
本実施例の構成要素を説明するにあたって、第１、第２、ｉ）、ｉｉ）、ａ）、ｂ）などのコードを用いる場合がある。このような符号は、その構成要素を他の構成要素と区別するためのもので、その符号によって該当の構成要素の本質や順番、または順序などが限定されない。また、明細書においてある部分がある構成要素を「含む」または「備える」とするとき、これは明示的に正反対の記載がない限り、他の構成要素を除外するのではなく、他の構成要素を含み得ることを意味する。また、明細書に記載された「〜部」、「モジュール」などの用語は、少なくとも一つの機能や動作を処理する単位を意味し、これは「ハードウェア」または「ソフトウェア」または「ハードウェアとソフトウェアの組合せ」によって具現される。
【００２１】
アンテナの制御方法がますます複雑になるにつれ、様々な機能がさらに求められている。その一例として、従来は、各基地局が制御するＡＬＤまたは周波数帯域（Band）が固定されていたが、最近では、各基地局が制御するＡＬＤまたは周波数帯域を変更する必要が生じた。
【００２２】
このように、基地局システムにおいて、各基地局が制御するＡＬＤまたは制御するアンテナを流動的に変更して制御するアンテナ制御システムを本明細書で「マルチＡＬＤシステム（Multi ALD System）」と称する。
【００２３】
図１に示した従来の基地局システムでは、基地局とアンテナが一対一で対応し、各基地局がそれぞれの周波数帯域のアンテナだけを制御する。これに比べて、本実施形態に係るマルチＡＬＤシステムでは、各基地局が、他の周波数帯域のアンテナを制御することができる。
【００２４】
図２は、本実施形態に係るマルチＡＬＤシステムの概念図である。
【００２５】
基地局システムは、異なる通信規格を有する複数の基地局２１１、２１２、２１３と、各基地局で使用する帯域の複数のアンテナ２４１、２４２、２４３、２４４で構成される。
【００２６】
本実施例のマルチＡＬＤシステム２００は、複数の基地局２１１、２１２、２１３と、複数のポート２２１、２２２、２２３と、複数のアンテナ２４１、２４２、２４３、２４４、及び複数のアンテナ２４１、２４２、２４３、２４４を制御するための複数のＡＬＤ２３１、２３２、２３３、２３４、２３５と、を含む。
【００２７】
マルチＡＬＤシステム２００においてポートはソケット、プラグなどの形になっている。ポートは給電ケーブル、ＡＩＳＧ（Antenna Interface Standards Group）ケーブルなどで基地局と接続され、基地局からのデータをやりとりする。複数のＡＬＤ２３１、２３２、２３３、２３４、２３５は、シリアルまたは網状の通信バスに接続されて相互間の通信を交わす。
【００２８】
図１に示した従来の基地局システムの場合、ポートの数、ＡＬＤの数、及びアンテナの数が一致する。しかし、図２に示した本実施形態に係るマルチＡＬＤシステム２００は、１つのＡＬＤが複数のアンテナを制御することができることから、ポートの数、ＡＬＤの数、アンテナの数に特別な制限はない。ただし、基地局の数とポートの数は同じでなければならない。
【００２９】
本実施形態に係るマルチＡＬＤシステム２００は、１つのＡＬＤで複数のアンテナを制御することができる。基地局は、ポートを介してＡＬＤでアンテナ制御命令を送信しており、アンテナ制御命令は、ＡＩＳＧ規格に基づいて、ＲＳ-４８５信号を用いることが好ましい。
【００３０】
マルチＡＬＤシステム２００において、各基地局は、ポートを介してＡＬＤでアンテナ制御命令を送信することができる。また、マルチＡＬＤシステム２００において、各基地局は、複数のポートと複数のＡＬＤとの間の接続関係、または複数のＡＬＤと各ＡＬＤが制御するアンテナとの間の接続関係を変更する命令（以下、「構成命令（ Configuration Command）」と称する）を送信することもできる。
【００３１】
本実施例で構成命令（Configuration Command）とは、各ポートと各ＡＬＤとの間の接続関係、または各ＡＬＤと各ＡＬＤが制御するアンテナとの接続関係を指示する設定情報を意味する。
【００３２】
マルチＡＬＤシステム２００では、ポート、ＡＬＤ、及びアンテナとの間の関係が構成命令によって変更される。このような流動的な接続関係を図２において雲の形で表現した。
【００３３】
マルチＡＬＤシステム２００において、一度に複数の構成命令を実行すると構成にエラーが発生するので、１つの構成命令が実行中には、他の構成命令が実行されてはならない。基地局から受信された構成命令を共有し、１つの構成命令が実行中には、他の構成命令が実行されないようにするために、複数のＡＬＤは、シリアルまたは網状の通信バスで接続されて相互間の通信を交わす。
【００３４】
複数のＡＬＤにおいて行われる通信と制御プロセスは、以下の通りである。
【００３５】
ｉ）基地局が特定のＡＬＤで構成命令を送信すると、構成命令を受信したＡＬＤ（以下、「マスターＡＬＤ」と称する）は、通信バスを介して他のＡＬＤ（以下、「スレーブＡＬＤ」と称する）に構成命令を受信したことを通知する。
【００３６】
ｉｉ）スレーブＡＬＤは、マスターＡＬＤから構成命令の受信事実を通知されると、確認信号をマスターＡＬＤに送信し、他の基地局から受信する構成命令を無視する。
【００３７】
ｉｉｉ）マスターＡＬＤは確認信号を送信したスレーブＡＬＤに構成命令を送信する。
【００３８】
ｉｖ）マスターＡＬＤ及び各スレーブＡＬＤは構成命令に応じて、ポートとＡＬＤとの接続関係、またはＡＬＤとＡＬＤが制御するアンテナとの接続関係を再構成する。
【００３９】
ｖ）各スレーブＡＬＤは構成命令に応じた接続関係の設定を終えたら、構成命令に応じた構成作業が完了したことをマスターＡＬＤに通知する。
【００４０】
ｖｉ）マスターＡＬＤが構成命令に応じた構成作業を完了し、全てのスレーブＡＬＤから構成作業が完了したことの通知を受けると、マスターＡＬＤは、構成命令を送信した基地局及び全てのスレーブＡＬＤに構成完了信号を送信する。
【００４１】
ｖｉｉ）マスターＡＬＤは、構成完了信号を送信（transmit）した時点から、各基地局のうちのいずれかから受信する構成命令を実行することが許可される。スレーブＡＬＤは、構成完了信号を受信（receive）した時点から、各基地局のうちのいずれかから受信する構成命令を実行することが許可される。
【００４２】
マルチＡＬＤシステムの具現において、各ＡＬＤが接続するポートは、各ＡＬＤが制御するアンテナを自在に設定することができる。各ＡＬＤが接続するポートは、各ＡＬＤが制御するアンテナを予め決めず、構成命令に応じて接続関係を自在に設定できるアンテナ制御システムをフルマルチＡＬＤシステム（Full Multi-ALD System）という。
【００４３】
ただし、接続関係を一部決めておくことが、製造コストの削減、設計の簡素化、システムエラーの防止などの観点から有利な場合がある。各ＡＬＤが接続するポートは、各ＡＬＤが制御するアンテナを一部は決めておき、残りの一部は設定命令に応じて接続関係を自在に設定するアンテナ制御システムをハーフマルチＡＬＤシステム（Half Multi-ALD System）という。
【００４４】
以下、ハーフマルチＡＬＤシステム（Half Multi-ＡＬＤ System）を例に本発明を説明する。
【００４５】
図３は、本実施形態に係るマルチＡＬＤシステムの第１の実施例である。第１の実施例は、各ＡＬＤと接続するポートが予め設定された状態で、構成命令に基づいて、各ＡＬＤが制御するアンテナを流動的に設定する。
【００４６】
第１の実施形態のマルチＡＬＤシステム３００は、複数の基地局とそれぞれ接続される複数のポート２２１、２２２、２２３、複数のアンテナを制御するための複数のＡＬＤ２３１、２３２、２３３を含む。第１の実施形態のマルチＡＬＤシステム３００は、各ＡＬＤが接続されるポートが予め決まっており、構成命令を利用してＡＬＤとアンテナとの間の接続関係を再構成することができる。
【００４７】
図４は、第１実施例のマルチＡＬＤシステムにおいて使用する構成命令を例示した図である。
【００４８】
ユーザは、キーボード、マウス、タッチスクリーンなどを利用して、構成命令を入力することができる。第１の実施形態のマルチＡＬＤシステムの場合は、ユーザが入力した構成命令が１つのアンテナに複数のＡＬＤが接続された形態の場合がイッシューになる。
【００４９】
１つのアンテナに複数のＡＬＤが接続された形態の場合、アンテナ制御時に衝突が起こり得る。例えば、第１のアンテナに第１のＡＬＤ及び第２のＡＬＤが接続されたら、第１のアンテナは、第１のＡＬＤだけでなく、第２のＡＬＤからもアンテナ制御命令を受けることになる。第１のＡＬＤが第１のアンテナを１５度に傾斜（Tilting）するように命令し、第２のＡＬＤが第１のアンテナを３０度に傾斜するように命令すると、アンテナの傾斜に誤作動が起きるようになる。したがって構成命令は、１つのアンテナに複数のＡＬＤが接続される構成であってはならない。
【００５０】
ユーザが入力した構成命令が１つのアンテナに複数のＡＬＤが接続された形態である場合、マルチＡＬＤシステム３００は、エラーメッセージを出力し、該当構成命令を拒絶（Deny）する。
【００５１】
図４の構成命令は、第１のＡＬＤに第１のアンテナ及び第２のアンテナが接続するようにし、第２のＡＬＤに第３のアンテナが接続するようにし、第３のＡＬＤに第４のアンテナが接続するようにする構成命令である。このような構成命令は、１つのアンテナに複数のＡＬＤが接続するような構成ではないので許可される。
【００５２】
図５は図４の構成命令に応じて、接続関係が再構成されたマルチＡＬＤシステムを例示した図である。
【００５３】
図５を参考にすると、図４の構成命令に応じて、第１のＡＬＤに第１のアンテナ及び第２のアンテナが接続し、第２のＡＬＤに第３のアンテナが接続し、第３のＡＬＤに第４のアンテナが接続したことが分かる。
【００５４】
図６は、本実施形態に係るマルチＡＬＤシステムの第２の実施例である。第２の実施例は、各ＡＬＤが制御するアンテナが予め設定された状態で、構成命令に応じて、各ＡＬＤと接続するポートを流動的に設定する。
【００５５】
第２の実施形態のマルチＡＬＤシステム６００は、複数の基地局とそれぞれ接続する複数のポート６２１、６２２、６２３、複数のアンテナを制御するための複数のＡＬＤ６３１、６３２、６３３、６３４を含む。第２の実施形態のマルチＡＬＤシステム６００においては、各ＡＬＤが制御するアンテナが予め決まっており、構成命令を使用して、ＡＬＤとポートとの間の接続関係を再構成することができる。
【００５６】
図７は、第２の実施形態のマルチＡＬＤシステムで用いる構成命令を例示した図である。
【００５７】
ユーザは、キーボード、マウス、タッチスクリーンなどを利用して構成命令を入力することができる。第２の実施形態のマルチＡＬＤシステムの場合は、ユーザが入力した構成命令が１つのＡＬＤに複数のポートが接続された形態である場合がイッシューになる。
【００５８】
１つのＡＬＤに複数のポートが接続した形態の場合、アンテナ制御時に衝突が起こり得る。例えば、第１のＡＬＤに第１のポート及び第２のポートが接続した場合、第１のＡＬＤは、第１の基地局だけでなく、第２の基地局からもアンテナ制御命令を受けることになる。第１の基地局が第１のＡＬＤに特定のアンテナを１５度に傾斜（Tilting）するように命令し、第２の基地局が第１のＡＬＤにそれと同じアンテナを３０度に傾斜（Tilting）するように命令すると、アンテナの傾斜に誤作動が起きるようになる。したがって構成命令は、１つのＡＬＤに複数のポートが接続する構成であってはならない。
【００５９】
例外的に構成命令においてＲ／ＷとＲ／Ｏを考慮すると、１つのＡＬＤに複数のポートが接続した構成を設定することができる。構成命令のＲ／ＷとＲ／Ｏは、以下のように定義される。
【００６０】
１．第２の実施例でのＲ／Ｗの意味
ＡＬＤが制御するアンテナ制御装置がＲＥＴ（Remote Electrical Tilt Unit）、ＲＡＳ（Remote Azimuth Steering）などのようにアンテナに結合された電磁石、ステップモータ、アクチュエータ、油圧装置などを利用してアンテナの状態を変更するデバイスである場合、ポートとＡＬＤの接続状態は、Ｒ／Ｗ（Read / Write）に表示する。その理由は次の通りである。
【００６１】
ポートは、ＡＬＤでアンテナの状態を変更するように命令を送信するが、これはＡＬＤにアンテナ制御命令を書き込む方式（Write）で行われるため、Ｗ（Write）で表示する。
【００６２】
アンテナ状態の変更が完了すると、ＡＬＤは、アンテナからアンテナの変更された傾斜角（Tilt Angle）、方位角（Azimuth）などの状態情報を受信するが、これはＡＬＤからアンテナ状態の情報を読み込む形式で行われるため、Ｒ（Read）で表示する。
【００６３】
２．第２の実施例でのＲ／Ｏの意味
ＡＬＤが制御するアンテナ制御装置がＡＴＳ（Antenna Temperature Sensor）、ＧＬＳ（Geographic Location Sensor）などのように、アンテナの状態をセンシング（Sensing）する装置である場合は、ポートとＡＬＤの接続状態は、Ｒ／Ｏ（ Read Only）で表示する。ポートは、ＡＬＤでアンテナの状態を変更させる命令を送信する必要がなく、単にＡＬＤからアンテナ状態の情報を読み込むだけなので、Ｒ／Ｏ（Read Only）となる。
【００６４】
ＡＬＤが制御するアンテナ制御装置がＲＥＴ、ＲＡＳなどのアンテナの状態を変更させる装置であっても、アンテナの状態を変更せずに、単にアンテナの傾斜角（Tilt Angle）、方位角（Azimuth）などの状態情報だけを受信することもでき、この場合は、Ｒ／Ｏ（Read Only）で表示する。
【００６５】
３．第２の実施例での構成命令の設定方法
１つのＡＬＤに複数のポートを接続させる場合において、２つ以上のポートがＲ／Ｗで接続すると、アンテナの状態を変更しようとする２つ以上の制御命令がクラッシュすることがある。したがって、このような構成は許可されない。
【００６６】
１つのＡＬＤに複数のポートを接続させる場合において、１つのポートのみがＲ／Ｗで接続し、残りのポートはＲ／Ｏで接続すると、アンテナの状態を変更しようとする制御命令は１つのみで、残りの制御命令は、単にアンテナ状態の情報を要求するだけであるため、衝突が起こらない。したがって、このような構成は許可される。
【００６７】
１つのＡＬＤに複数のポートを接続させる場合において、全てのポートがＲ／Ｏで接続した構成は衝突が起こらない。したがって、このような構成は許可される。
【００６８】
ユーザが入力した構成命令が１つのＡＬＤに複数のポートが接続した形態である場合、１つのＡＬＤに２つ以上のポートがＲ／Ｗで接続したら、マルチＡＬＤシステム６００は、エラーメッセージを出力し、当該構成命令を拒絶（Deny）する。しかし、１つのＡＬＤに２つ以上のポートがＲ／Ｏで接続することは許可される。
【００６９】
図７の構成命令は、第１のＡＬＤに第１のポートがＲ／Ｗで接続するようにし、第２のＡＬＤに第２のポートがＲ／Ｗで接続するようにし、第３のポートがＲ／Ｏで接続するようにし、第３のＡＬＤに第１のポートがＲ／Ｏで接続し、第２のポートがＲ／Ｗで接続するようにし、そして第４のＡＬＤに第３のポートがＲ／Ｗで接続するようにする命令である。図７の構成命令は、１つのＡＬＤに２つ以上のポートがＲ／Ｗで接続した構成を含んでいないので、図７の構成命令は許可される。
【００７０】
図８は、図７の構成命令に応じて、接続関係が再構成されたマルチＡＬＤシステムを例示した図である。
【００７１】
ＡＬＤとポートとの接続関係を表現する場合において、Ｒ／Ｗ接続は双方向の矢印で表現し、Ｒ／Ｏ接続は片方向の矢印で表現した。 Ｒ／Ｗの場合、ポートからＡＬＤにアンテナ制御命令を送信し、そのような制御命令に基づいてＡＬＤがアンテナを制御した後、アンテナ状態の情報を受けて再びポートに転送することで、通信が双方向で行われる。一方、Ｒ／Ｏの場合、ＡＬＤが、アンテナ状態の情報を受けてポートに転送することで通信が終わるので、通信が片方向に行われる。
【００７２】
図８を参考にすると、図７の構成命令に基づいて、第１のＡＬＤに第１のポートがＲ／Ｗで接続し、第２のＡＬＤに第２のポートがＲ／Ｗで接続し、第３のポートがＲ／Ｏで接続し、第３のＡＬＤに第１のポートがＲ／Ｏで接続し、第２のポートがＲ／Ｗで接続し、そして第４のＡＬＤに第３のポートがＲ／Ｗで接続したことが分かる。
【００７３】
図９は、本実施形態に係るマルチＡＬＤシステムを利用したアンテナ制御システムの構成方法をマスターＡＬＤの観点から例示したフローチャートである。
【００７４】
マスターＡＬＤの観点から例示したマルチＡＬＤシステムを利用したアンテナ制御システムの構成方法は、構成命令の受信過程（Ｓ９１０）、進行中か否かの判断過程（Ｓ９２０）、通知過程（Ｓ９３０）、確認信号の受信過程（Ｓ９４０ ）、構成命令の送信過程（Ｓ９５０）、構成作業過程（Ｓ９６０）、処理完了信号の受信過程（Ｓ９７０）、及び設定完了信号の送信過程（Ｓ９８０）を含む。
【００７５】
構成命令の受信過程（Ｓ９１０）は、ＡＬＤがポートを介していずれかの基地局から構成命令を受信するプロセスである。ポートから構成命令を受信したＡＬＤがマスターＡＬＤとなって構成命令の実行を監督する。
【００７６】
進行するか否かの判断過程（Ｓ９２０）は、マスターＡＬＤが、他の構成命令による構成作業が進行中であるか否かを判断した後、他の構成作業による構成作業が進行中である場合はポートから送信された構成命令を無視し（Ｓ９２０の「はい」）、他の構成作業による構成作業が進行中でない場合はスレーブＡＬＤに構成命令の受信事実を通知するプロセスである（Ｓ９２０の「いいえ」、Ｓ９３０）。
【００７７】
確認信号の受信過程（Ｓ９４０）は、マスターＡＬＤがスレーブＡＬＤから構成命令の受信事実の通知を受けたことを確認する信号を受信すると、該当スレーブＡＬＤに構成命令を送信するプロセスである（Ｓ９４０の「はい」、 Ｓ９５０）。
【００７８】
構成作業過程（Ｓ９６０）は、マスターＡＬＤが構成命令に応じた構成作業を実行するプロセスである。
【００７９】
作業完了信号の受信過程（Ｓ９７０）は、マスターＡＬＤが自らの構成命令に応じた構成作業を完了し、全てのスレーブＡＬＤから作業完了信号を受信すると、ポートを介して基地局に構成完了信号を送信し、全てのスレーブＡＬＤに構成完了信号を送信するプロセスである（Ｓ９７０の「はい」、Ｓ９８０）。
【００８０】
図９は、Ｓ９１０ないしＳ９８０を順次実行することを記載しているが、これは本発明の技術思想を例示的に説明したものに過ぎない。本発明が属する技術分野で通常の知識を有する者であれば、本発明の本質的な特性から逸脱しない範囲で、図９に記載された順序を変更して実行するか、Ｓ９１０ないしＳ９８０のうちの、一つ以上のプロセスを並列的に実行するなど、図９に図示した方法を多様に修正及び変形することができるだろう。
【００８１】
一方、図９に図示した過程は、コンピュータで読み取り可能な記録媒体にコンピュータが読み取り可能なコードで具現することが可能である。コンピュータが読み取り可能な記録媒体は、コンピュータシステムによって読み取りできるデータが格納される全ての種類の記録装置を含む。例えば、コンピュータが読み取り可能な記録媒体は、磁気記録媒体（例えば、フロッピーディスク、ハードディスク、ＲＯＭ、ＵＳＢメモリなど）、光学的読み取り媒体（例えば、ＣＤ−ＲＯＭ、ＤＶＤ、Ｂｌｕ−ｒａｙ（登録商標）など）及びキャリアウェーブ（例えば、インターネットを通じた伝送）のような記憶媒体を含む。また、コンピュータが読み取り可能な記録媒体は、ネットワークに接続されたコンピュータシステムに分散され、分散方式でコンピュータが読み取り可能なコードが保存された形態を含む。
【００８２】
図１０は、本実施形態に係るマルチＡＬＤシステムを利用したアンテナ制御システムの構成方法を基地局、マスターＡＬＤ、及びスレーブＡＬＤの観点から例示したフローチャートである。
【００８３】
基地局は、ユーザからの構成命令の入力を受けると（Ｓ１００２の「はい」）、構成命令がエラーか否かを判断する（Ｓ１００４）。構成命令は、１つのアンテナに複数のＡＬＤが接続する構成で行われたり、１つのＡＬＤに２つ以上のポートがＲ／Ｗで接続する構成で行われた場合、基地局は構成命令にエラーがあると判断する。
【００８４】
基地局は、構成命令にエラーがない場合は、構成命令をポートを介してＡＬＤに送信し（Ｓ１００４の「いいえ」、Ｓ１００６）、構成命令にエラーがある場合はユーザから再度構成命令の入力を受ける（Ｓ１００４の「はい」）。
【００８５】
マスターＡＬＤは、他の構成命令による構成作業が進行中であるか否かを判断した後に、他の構成作業による構成作業が進行中であれば、ポートから送信された構成命令を無視し（Ｓ１００８の「はい」）、他の構成作業による構成作業が進行中でない場合は、スレーブＡＬＤに構成命令の受信事実を通知する（Ｓ１００８の「いいえ」、Ｓ１０１０）。
【００８６】
スレーブＡＬＤは、マスターＡＬＤから構成命令の受信事実の通報を受けると、マスターＡＬＤに確認信号を送信する（Ｓ１０１２）。スレーブＡＬＤは、マスターＡＬＤから構成命令の受信事実を通知された時点からはポートを介して新たな構成命令を受信しても、新たな構成命令を無視する。
【００８７】
マスターＡＬＤはスレーブＡＬＤから確認信号を受信すると、確認信号を送信したスレーブＡＬＤに構成命令を送信する（Ｓ１０１４）。
【００８８】
マスターＡＬＤ及びスレーブＡＬＤは、それぞれの構成命令に応じた構成作業を行う（Ｓ１０１６、Ｓ１０１８）。
【００８９】
スレーブＡＬＤは構成命令に応じた構成作業が完了すると、マスターＡＬＤに作業完了信号を送信する（Ｓ１０２０）。
【００９０】
マスターＡＬＤは自らの構成命令に応じた構成作業を完了し、全てのスレーブＡＬＤから作業完了信号を受信すると、基地局及び全てのスレーブＡＬＤに構成完了信号を送信する（Ｓ１０２２の「はい」、Ｓ１０２４、Ｓ１０２６ ）。このとき、マスターＡＬＤは、基地局に構成完了信号を先に送信することも、スレーブＡＬＤに構成完了信号を先に送信することもできる。つまり、Ｓ１０２４とＳ１０２６の順序が変わってもよい。
【００９１】
基地局がポートを介して構成完了信号を受信すると（Ｓ１０２４）、構成作業が終了する。
【００９２】
本実施例は、本発明の技術思想を例示的に説明したに過ぎず、本発明が属する技術分野で通常の知識を有する者であれば、本発明の本質的な特性から逸脱しない範囲で、本実施例のさまざまな修正と変形が可能であることが分かる。
【００９３】
本実施例は、本発明の技術思想を限定するためのものではなく説明するためのものであり、従って、本実施例によって本発明の権利範囲が限定されるものではない。本発明の保護範囲は、特許請求の範囲によって解釈されるべきであり、それと同等か、均等であると認められる全ての技術思想は、本発明の権利範囲に含まれるものと解釈されるべきである。
【００９４】
CROSS-REFERENCE TO RELATED APPLICATION
本特許出願は、２０１４.１１.２５に韓国に出願した特許出願番号第１０-２０１４-０１６５６６２号に対する、米国特許法１１９（ａ）条（３５Ｕ．Ｓ．Ｃ§１１９（ａ））に基づく優先権を主張し、その全ての内容は参考文献として本特許出願に併合される。さらに、本特許出願は、米国以外の国においても、前記と同じ理由で優先権を主張すると、その全ての内容は、参考文献として本特許出願に併合される。
【図１】
0006408153.tif 000002
【図２】
0006408153.tif 000003
【図３】
0006408153.tif 000004
【図４】
0006408153.tif 000005
【図５】
0006408153.tif 000006
【図６】
0006408153.tif 000007
【図７】
0006408153.tif 000008
【図８】
0006408153.tif 000009
【図９】
0006408153.tif 000010
【図１０】
0006408153.tif 000011